(57)【特許請求の範囲】
【請求項１】
長手方向等断面形状の長尺成形品からなり、帯板状にして目地幅を封じ且つ上面に意匠面を形成する外装部と、該外装部から断面Ｔ字状に垂下する柱部と、該柱部の下端で両サイドに張出し前記外装部と柱部とで断面エ字状とする基部と、を備えるガスケット本体（Ａ）と、
前記基部の両サイドにパネル材を載せ、該パネル材が組み合わさってできる目地幅を前記外装部の封止により、パネル材と外装部裏面と柱部と基部上面とで囲まれた内空間に配置される紐状体（Ｂ）と、を具備することを特徴とする住宅用ガスケット。
【請求項２】
前記柱部の両サイドから外方に張り出すヒレが設けられ、該ヒレに前記紐状体が係止された請求項１に記載の住宅用ガスケット。
【請求項３】
前記紐状体がガスケット本体と一体成形される請求項１または２に記載の住宅用ガスケット。
【請求項４】
長手方向等断面形状の長尺成形品からなり、帯板状にして目地幅を封じ且つ上面に意匠面を形成する外装部と、該外装部から断面Ｔ字状に垂下する柱部と、該柱部の下端で両サイドに張出し前記外装部と柱部とで断面エ字状とする基部と、を備えるガスケット本体（Ａ）と、該ガスケット本体とは別体の紐状体（Ｃ）を用意し、
該紐状体を前記外装部の裏面側又は柱部又は基部上面に沿わせた状態にして、パネル材を柱部両サイドに張り出す前記基部に押し当て、その後、前記紐状体を引っ張り上げてパネル材によって押し曲げられていた前記外装部の折曲を解除することを特徴とする住宅用ガスケットのパネル材への取付け方法。
【発明の詳細な説明】
【０００１】
【産業上の利用分野】
本発明は、ユニット住宅等の建物の目地に取着される住宅用ガスケットおよび住宅用ガスケットのパネル材への取付け方法に関する。
【０００２】
【従来の技術】
住宅などで、外壁間をはじめ、パネル材（人造板，繊維板，合板，ボード等）が組み合わされる継ぎ目部分には目地が存在する。集合住宅の二階の外廊下等においても、廊下パネルが組み合わさってできるため、同様の目地が存在する。斯る目地をそのまま放置すると、目地から雨水等が侵入するため、防水処理を施すことになる。
目地の防水処理にあたっては、コーキング処理を行うこともあったが、施工が複雑であり雨天時の作業ができないといった問題や経年劣化による防水性低下の問題等があり、これに代って、近年、施工の簡易性，確実性から、押出成形で得られるゴム製品たる定形ガスケットを用いることが多くなってきた。
【０００３】
このガスケットを用いる場合は、施工時の予想外のバラツキにも防水性能を維持できるように、図１５のごとく目地９中のガスケットａのさらに奥の壁下地材８上に粘着剤からなる二次止水材ｂを設け、防水の信頼性を高めることが一般化している。ただ、外壁板にサイジングボードと呼ばれるパネル材７を用いる時は、サイジングボードの厚みが一般に薄いので（１０〜１６ｍｍ）、二次止水材ｂを目地中に設けることが困難となる。そのため、図１６のごとく、基部ｃ1，ｄ1を張り出させて、この部分をサイジングボード７の裏面へ当接させ二次止水の機能を持たせているケースが多くなっている。
【０００４】
ところが、サイジングボード形のパネル材７は、図１７のごとくボード単体Ｐの高さが６０ｃｍ程度と小さいものが多く、該ボードＰを複数枚用いて所定高さのパネル材７に造りあげていくが、図示のように施工のバラツキが生じ易く、ボード毎に位置がズレ、一つの目地に段が生じるために図１６（イ）のようなガスケットｃでは見栄えに問題があった。一方、図１６（ロ）のガスケットｄのように二つの部品ｄ1，ｄ2を組み合わせた場合には、目地の段差は隠れるが、二部品で構成しているため、コストが高くなり、また施工も複雑となっていた。
【０００５】
【発明が解決しようとする課題】
前記問題に、実開昭６３−８５７４７号公報第３図のごとくのガスケットタイプのものであれば解決できるが、同図のように施工するにはパネル材７を真横からガスケットに挿入するよう施工しなければならず、手順が固定された。ガスケットへ真横から複数枚のパネル材を押し込む作業は、前面からパネル材を押しつけるのに比べ非常に手間がかかった。
これだけにとどまらず、パネル材を住宅の外周に貼りめぐらしていった場合に、図１８（イ）のごとく、どうしても最低１箇所はパネル材７を上方（前面）から押し込んで施工しなければならなかった。そして、このとき、図１８（ロ）のように意匠面をつくる外装部ｃ2 の片方がパネル材７に押されて屈曲した状態となった。その結果、ヘラＴ等を用いて外装部ｃ2 を表に出し（図１８のハ）、外装部周縁ｃ21がパネル材７の表面に当接するようにしなればならず、これが結構手間のかかる作業となっていた。
【０００６】
本発明は上記問題点を解決するもので、ガスケットに向けてパネル材を前面から押し込む作業を可能にして、しかも、ヘラなどを使わずして簡単に外装部の屈曲を直して正規の状態に挿着できる住宅用ガスケットおよび住宅用ガスケットのパネル材への取付け方法を提供することを目的とする。
【０００７】
【課題を解決するための手段】
上記目的を達成すべく、請求項１に記載の発明の要旨は、長手方向等断面形状の長尺成形品からなり、帯板状にして目地幅を封じ且つ上面に意匠面を形成する外装部と、該外装部から断面Ｔ字状に垂下する柱部と、該柱部の下端で両サイドに張出し前記外装部と柱部とで断面エ字状とする基部と、を備えるガスケット本体（Ａ）と、前記基部の両サイドにパネル材を載せ、該パネル材が組み合わさってできる目地幅を前記外装部の封止により、パネル材と外装部裏面と柱部と基部上面とで囲まれた内空間に配置される紐状体（Ｂ）と、を具備することを特徴とする住宅用ガスケットにある。ここで、「柱部の下端で両サイドに張出し前記外装部と柱部とで断面エ字状とする基部」には、外装部の両サイドに張出す具合と同等の基部も含むものとする。
請求項２に記載の発明に係る住宅用ガスケットは、請求項１で、柱部の両サイドから外方に張り出すヒレが設けられ、該ヒレに前記紐状体が係止されたことを特徴とする。
請求項３に記載の発明に係る住宅用ガスケットは、請求項１，２で、紐状体がガスケット本体と一体成形されることを特徴とする。
請求項４に記載の発明の要旨は、長手方向等断面形状の長尺成形品からなり、帯板状にして目地幅を封じ且つ上面に意匠面を形成する外装部と、該外装部から断面Ｔ字状に垂下する柱部と、該柱部の下端で両サイドに張出し前記外装部と柱部とで断面エ字状とする基部と、を備えるガスケット本体（Ａ）と、該ガスケットとは別体の紐状体（Ｃ）を用意し、該紐状体を前記外装部の裏面側又は柱部又は基部上面に沿わせた状態にして、パネル材を柱部両サイドに張り出す前記基部に押し当て、その後、前記紐状体を引っ張り上げてパネル材によって押し曲げられていた前記外装部の折曲を解除することを特徴とする住宅用ガスケットのパネル材への取付け方法にある。
【０００８】
請求項１〜４の発明のごとく、紐状体が配設されると、パネル材を基部に押し当てた後、紐状体を引っ張り上げることによって、その方向に外装部を持ち上げることになるので、パネル材の押し当てで曲げられていた外装部をたやすく修復できる。
請求項３の発明のごとく、紐状体がガスケット本体と一体成形されると、紐状体をガスケット本体の長手方向に沿わせて配設する手間が省けるので、作業性向上につながる。
【０００９】
【発明の実施の形態】
以下、本発明を実施形態に基づいて詳述する。
（１）実施形態１
図１〜図３は、本発明に係る住宅用ガスケット（以下、単に「ガスケット」という。）の一実施形態を示す。図１はガスケットの横断面図、図２，図３は該ガスケットの目地への一取付け手順を示す斜視図である。
ガスケットＧは押出成形で得られる加硫ゴム製品で、その横断面が図示のごとくの長手方向等断面形状で左右対称になっている。ガスケット本体は、弾性変形が可能で（弾性率やヤング率が低い）、軟らかくて粘り強く、よく伸びる加硫ゴムの基本的な特徴が生かされている。
【００１０】
ガスケットＧは、ガスケット本体Ａと紐状体Ｂとからなり、該ガスケット本体Ａは、ここでは、外装部１と柱部２と基部３とからなる。外装部１が隣接する外壁パネル等でつくられる横断面凹形の目地幅Ｗ1 を封じ込んで水分封止する機能を発揮する（図３）。具体的には、基部３がパネル材７に裏当てして柱部２が目地９内を通過し、外装部１がパネル材７の表側に出てゴムの弾性力を生かすようにして目地９を覆いシールする。
【００１１】
外装部１は、帯板状にして、その上面に外装色に合わせた例えば梨地状の意匠面１ａが形成される。外装部１の幅Ｗ2 は目地幅Ｗ1 より大きく設定し、目地９にガスケットＧが取着されると、外装部１が目地９に覆い被ぶさり、外装部両サイドが外壁パネル上面に当接して目地９を封じるようにしている。外装部１の意匠面１ａは図１に示すごとく円弧面を描き、一方、外装部下面は緩やかな湾曲面を形成し、外側に向かってやや下降傾斜する。目地９に取着した際、弾性変形した外装部の復元力により外装部周縁１２が外壁パネルに密着する。
尚、意匠面１ａを形成する上層部分１１は、外装色の色調に合わせたり耐候性を向上させるため、他のガスケット本体主要部とゴム成分を多少変えている。
【００１２】
柱部２は外装部１に対し横断面Ｔ字状に垂下する主骨である。目地中で、ガスケットが傾いたりグラついたりしないよう、柱部２は、通常、他の構成部分より厚めに形成される。図示を省略するが、柱部２には必要に応じ芯材がインサート成形で埋設される。
柱部２の高さｈ1 はガスケットに挿着されるパネル材７の厚みｔ1 にほぼ等しくする（図２，図３）。
【００１３】
基部３は、盤形状で、柱部２の下端で両サイド水平に外装部１よりも長めに張り出し、外装部１と柱部２とで横断面エ字状としている。基部長さＷ3 ＞外装部長さＷ2 となる（図１）。基部３を外装部１よりも張り出させることによって、図３のごとく基部３がパネル材７の裏面に当接するようになり、二次止水の機能を発揮する。基部３は壁下地材８に安定支持されるよう裏面（図１の下側）を平らにし、一方、基部上側には爪状の小突起３１を設ける。小突起３１の弾撥力により二次止水機能が一層高められる。
【００１４】
紐状体Ｂは、基部３の両サイドにパネル材７を載せ、該パネル材が組み合わさってできる目地幅Ｗ1 を前記外装部１の封止により、パネル材７と外装部裏面と柱部と基部上面とで囲まれた内空間Ｏに配置される（図３）。
ここでは、紐状体Ｂは、断面積がほぼ円形太めの長尺ゴムで、その一部分５が括れ部となってガスケット本体Ａとつながる。紐状体Ｂはガスケット本体主要部と同じゴム質で、上記ガスケット本体Ａと一体成形で造られる。ガスケット本体Ａ，紐状体Ｂは、既述のごとくゴム製であり、必要に応じてゴム材料の他、熱硬化性樹脂，熱可塑性樹脂，補強剤，軟化剤，加硫助剤，加工助剤，加硫促進剤，加硫剤，消泡剤等が添加されている。
紐状体Ｂの一部分が柱部２の側面（外装部裏面やパネル材が載らない基部上面でも可）に線状に結合して係止し、ガスケット本体Ａの長手方向に向けて紐状体Ｂが付随するようにしてガスケット本体Ａと一体成形される。紐状体Ｂは括れ部５で柱部側面に係止されているので、紐状体Ｂを手で引っ張ることでガスケット本体Ａから該紐状体Ｂを容易に引き離すことができる。紐状体Ｂの引き離しで、該紐状体Ｂが簡単に切れないよう文字通り太めの紐状になっている。
なお、製法にやや手間がかかるが、別体の紐状体Ｂ（材質を変えてもよい）をガスケット本体Ａに接合や粘着テープなどの仮止め等により係止させることもできる。
【００１５】
次に、このように構成したガスケットのパネル材７への取付け方法の一例を説明する。
まず、図２（イ）のごとく、ガスケットを所定の長さＬにカットする。この長さＬは、例えばガスケット本体Ｇとして３ｍ必要な場合には余剰分Ｌ1 を加味して３ｍ１０ｃｍとする。
次いで、ガスケット端部にある紐状体Ｂを１１〜１５ｃｍ程度引き剥す（図２のロ）。しかる後、余剰分Ｌ1 に係るガスケット本体の箇所を切断カットする。
こうして出来たガスケットを壁下地材８に載せ、続いて、図３（イ）のように所定のパネル材７を上（前面）から押し込んでいく。パネル材７が押し当てられることによって外装部１は図示のごとく下方に押し曲げられる。
その後、前述の引き剥された紐状体部分Ｂ1 を手に持って、図３（ロ）の矢印方向（上方）へ引っ張り上げる。紐状体Ｂを引っ張り上げ、ガスケット本体Ａから該紐状体Ｂを引き剥していくことで、外装部１が一緒に持ち上げられて折曲が解除される。紐状体Ｂを上方へ引き上げる力の方が外装部１が下方に押し曲げられている抵抗より大になるため、紐状体Ｂの引き上げで、外装部周縁１２が上昇しパネル材表面に当接し、ガスケット本体Ａがパネル材７にうまく挿着される。
【００１６】
（２）実施形態２
本実施形態のガスケットは、図４のごとく、長手方向等断面形状の長尺成形品である。
紐状体Ｂには伸び難く且つ前記紐状体Ｂに用いたゴム質より強度的に優れた丈夫な材質が選択されている。具体的には、繊維原料或いは金属線などを紐状，糸状にしたもの等である。実施形態１ではガスケット本体Ａと同じゴム質からなるため、紐状体Ｂを引っ張り上げた時、不必要に伸びたり切れたりすることがある。そこで、引張強度が大きな紐状体Ｂを採用することによって、斯る不具合を解消する。
紐状体Ｂをインサートしてガスケット本体Ａと一体成形し、紐状体Ｂを柱部２の側面に係止する。一体成形で、該紐状体Ｂにゴム質の薄い被覆膜６が形成されている。他の構成は実施形態１と同様で、その説明を省略する。実施形態１と同一符号は同一又は相当部分を示す。
【００１７】
（３）実施形態３
本実施形態のガスケットは、図５のような長手方向等断面形状の長尺成形品である。紐状体Ｂが外装部１の裏面に係止される形を採る。他の構成は実施形態１と同様でその説明を省く。実施形態１と同一符号は同一又は相当部分を示す。
【００１８】
（４）実施形態４
本実施形態のガスケットは、図６のごとくの長手方向等断面形状の長尺成形品である。紐状体Ｂが外装部１の裏面に係止され、さらにヒレ４が柱部２を起点に左右横方向に張り出す。ヒレ地点での横幅は、目地幅より大きく設定される。ゴム弾性の特長を活かし、ヒレ４を屈曲変形させて目地内でのシール機能をもたすためである。ヒレ４は、その弾性復元力で目地内壁を押圧することで、ガスケット本体Ａを目地９に固定する働きもなす。他の構成は実施形態１と同様でその説明を省く。実施形態１と同一符号は同一又は相当部分を示す。
斯るガスケットにおいても、実施形態１で述べたのと同様の取付け方法を採ることができる。ガスケット端部にある紐状体Ｂを１１〜１５ｃｍ程度引き剥しておいてから、該ガスケットを壁下地材８に載せ、パネル材７を上（前面）から押し込んでいく（図６）。パネル材７が押し当てられることによって、外装部１は図示のごとく下方に押し曲げられる。
その後、引剥された紐状体Ｂを手に持って上方へ引っ張り上げれば、図７のごとく、外装部１が持ち上げられる。これに伴い、外装部周縁１２がパネル材表面に当接し、ガスケットがパネル材７に按配よく取着される。外装部裏面はフラット面を形成し、外側に向って下降傾斜させている。その結果、図示のごとくパネル材７に対向するフラット面が全面に亘ってパネル材７に当接する。なお、前記紐状体Ｂは、最終的に括れ部５で引き剥され、ガスケット本体Ａから分離する。
【００１９】
（５）実施形態５
本実施形態のガスケットは、図８のごとく長手方向等断面形状の長尺成形品である。ガスケットＧの高さを壁下地材８からパネル材上面までの距離ｔ2 より小さく設定している。また、実施形態４と同様、紐状体Ｂを外装部１の裏面に係止し、更にヒレ４を柱部２から左右横方向に張り出している。他の構成は実施形態１と同様でその説明を省く。実施形態１，４と同一符号は同一又は相当部分を示す。
このようなガスケットにおいても、実施形態４で述べたのと同様の取付け方法を採ることができる。本実施形態では、紐状体Ｂを手に持って上方へ引っ張り上げ、外装部１が一緒に引き上げられても、外装部周縁１２はパネル材表面に出現せず、外装部周縁１２は目地中でパネル材７の厚み形成部分に当接する。厚みのあるパネル材７を使い、該パネル材７の目地９を構成する側縁に図１７のようなガタツキが起らないケースでは、斯る発明品も問題なく使用でき、本発明の効果が得られる。なお、ガスケットがゴム質であるため、柱部２が目地内で倒れるケースがあるが、図９のように外装部１が上向きに変形しヒレ４が下向きに変形すると、柱部２が倒れ難くなるメリットがある。
【００２０】
（６）実施形態６
本実施形態のガスケットは、図１０〜図１２のごとく、ヒレ４を柱部２の略中間位置で左右横方向に張り出し、両ヒレ４の下面に紐状体Ｂを係止している。また、基部長さＷ3 は外装部長さＷ2 とほぼ等しくする。基部長さが短くなる分、基部３による二次止水機能が弱まるが、本発明の基本的な作用，効果は発揮できる。他の構成は実施形態１と同様でその説明を省く。実施形態１〜５と同一符号は同一又は相当部分を示す。
このように構成したガスケットのパネル材７への取付け方法としては、実施形態１で述べたように、まず、ガスケット端部にある紐状体Ｂを１１〜１５ｃｍ程度引き剥し、余剰分Ｌ1 に係るガスケット本体の箇所を切断カットする。
しかる後、ガスケットを壁下地材８に載せ、続いて、図１１の矢印のように基部上にパネル材７を上から押し込んでいく。パネル材７が押し当てられることによって外装部１及びヒレ４は図示のごとく下方に押し曲げられる。
その後、前述の引き剥された紐状体部分を手に持って、白抜き矢印方向へ引っ張り上げる。紐状体Ｂを引っ張り上げ、ガスケット本体Ａから該紐状体Ｂを引き剥していくことで、ヒレ４及び外装部１が一緒に持ち上げられて折曲が解除される。紐状体Ｂの引き上げで、外装部周縁１２が上昇しパネル材表面に当接し、下向きにあったヒレ４も上向きとなり、ガスケット本体Ａがパネル材７にうまく挿着される。
【００２１】
（７）実施形態７
本実施形態は、図１３のごとく、長手方向等断面形状の長尺成形品のガスケット本体Ａと、これと別体の紐状体Ｃとからなる。
ここでは、図４のガスケット本体Ａから紐状体Ｃが初めから離れた状態にあり、ガスケット本体Ａには当然ながら被覆膜６がない形になっている。また、ヒレ４が柱部２を起点に左右横方向に張り出している。他の構成は実施形態２と同様で、その説明を省略する。実施形態２と同一符号は同一又は相当部分を示す。
【００２２】
次に、上記ガスケット本体Ａと紐状体Ｃを使ったガスケットＧのパネル材７への一取付け方法について説明する。
まず、ガスケット本体Ａをパネル材７に合わせた所定長さにカットする。紐状体Ｃが当初からガスケット本体Ａと別体であるため、実施形態１で述べた余剰分Ｌ1 を加味する必要はない。
次いで、紐状体Ｃを外装部１の裏面側（柱部又はパネル材が載らない基部上面でもよい）に沿わせる。そして、紐状体Ｃの両端を支持した状態下で、パネル材７を上から柱部両サイドに張り出す基部上に押し当てる。この押し当てによって、パネル材７が基部３に載り、外装部１は目地内でパネル材７に折り曲げられることとなる（図１３）。
その後、紐状体Ｃの一端を固定しながら他端を引っ張り上げてパネル材７によって押し曲げられていた外装部１を引き上げ、外装部１の折曲を解除する。
かくして、図１４のごとく外装部周縁１２が上昇しパネル材表面に当接して、ガスケット本体Ａがパネル材７に挿着されることとなる。
【００２３】
（８）効果
このように構成した住宅用ガスケットおよび住宅用ガスケットのパネル材７への取付け方法は、ガスケットＧの真横からパネル材７を押し込む方法を採らず、ガスケットに向けて上から押し込む作業を可能にするので、ガスケットのパネル材７への取り付けが楽になる。
さらに、ガスケットＧに向けて上からのパネル材７の押え込みで折り曲った外装部１も、紐状体Ｂを引っ張り上げることによって一緒に引き上げられ、簡単に折曲を解除できるので、外装部１の修正作業が容易になる。紐状体Ｂは、引っ張り上げられる過程で、ガスケット本体Ａから括れ部５のところで引き裂かれていき、外装部周縁１２の屈曲が全域に亘って解除されたところで、ガスケット本体Ａからきれいに引き離すことができる。図１５のごとく、ヘラＴなどを使って屈曲した外装部１を持ち上げる従来の苦労から開放される。
【００２４】
そして、実施形態１〜６では、紐状体Ｂがガスケット本体Ａと一体成形されて造られるので、パネル材へのガスケット本体の取付け作業が容易になる。同時成形で造るので、後から接着剤等で付ける製造工程が省け、生産性向上，低コスト化を達成できる。
ところで、実施形態３のように外装部裏面に紐状体Ｂを係止してもよいが、このケースだと、紐状体Ｂを大きくした場合に外装部１の垂れ下がりや、紐状体Ｂを引っ張り上げ、パネル材７へガスケット本体Ａを挿着する際に外装部１にクセを付けてしまうことがある。こうしたことから、実施形態１，２のように柱部２に紐状体Ｂを係止するとより好ましくなる。上記不具合がなくなる。
また、実施形態２のように紐状体Ｂにゴム質と違って伸び難く強度的にも十分なものを使用すると、施工時に紐状体Ｂが切れたりせず、ガスケットの取付け作業を円滑に進めることができる。該紐状体Ｂが被覆膜６で包んで一体成形されると、紐状体Ｂを接着剤等でガスケット本体Ａに後付けする手間がなくなる。さらに、薄い被覆膜６であるため、該紐状体Ｂを引っ張り上げる際、被覆膜６が破れ易くなっており、ガスケットの取付け作業がはかどる。
実施形態４〜６のようにヒレ４があると、ヒレ４による止水機能も発揮し、止水性能を一段と高める。
一方、実施形態７のように、紐状体Ｃが別体のものは、ガスケット本体Ａに一体化したものに比べて作業性がやや劣る。ガスケットの取付け作業に先立ち、紐状体Ｃを外装部１の裏面側や柱部２，基部３に沿わせたり、紐状体Ｃの一端部を引っ張り上げ、外装部１を持ち上げる際に他端部を固定する必要があったりする。しかしながら、本発明の基本的効果は得られ、ガスケットに向けて前面から押し込む作業を可能にする。また、ガスケットに向けてのパネル材７の押し込みで折り曲った外装部１も紐状体Ｃを持ち上げることによって解除できる。
【００２５】
尚、本発明においては、前記実施例に示すものに限られず、目的，用途に応じて本発明の範囲で種々変更できる。ガスケット本体Ａ，紐状体Ｂ，Ｃ等の形状，大きさ，材質等は用途に合わせて適宜選択できる。
【００２６】
【発明の効果】
以上のごとく、本発明の住宅用ガスケットおよび住宅用ガスケットのパネル材への取付け方法は、パネル材を前面からガスケットに向けて押し込む作業を可能にし、さらに、押し込み作業で屈曲した外装部をヘラ等を使わずにいとも簡単に修復できるなど現場での取付け作業に優れた効果を発揮する。
【図面の簡単な説明】
【図１】実施形態１の住宅用ガスケットの横断面図である。
【図２】図１の住宅用ガスケットに係るガスケット本体の目地への一取付け手順を示す斜視図である。
【図３】図１の住宅用ガスケットに係るガスケット本体の目地への一取付け手順を示す斜視図である。
【図４】実施形態２の住宅用ガスケットの横断面図である。
【図５】実施形態３の住宅用ガスケットの横断面図である。
【図６】実施形態４の住宅用ガスケットにパネル材が押し当てられた状態の横断面図である。
【図７】図６の住宅用ガスケットに係るガスケット本体がパネル材に挿着された横断面図である。
【図８】実施形態５の住宅用ガスケットにパネル材が押し当てられた状態の横断面図である。
【図９】図８の住宅用ガスケットに係るガスケット本体がパネル材に挿着された横断面図である。
【図１０】実施形態６の住宅用ガスケットの横断面図である。
【図１１】実施形態６の住宅用ガスケットにパネル材が押し当てられた状態の横断面図である。
【図１２】図１０の住宅用ガスケットに係るガスケット本体がパネル材に挿着された横断面図である。
【図１３】実施形態７の住宅用ガスケットにパネル材が押し当てられた状態の横断面図である。
【図１４】図１３の住宅用ガスケットに係るガスケット本体がパネル材に挿着された横断面図である。
【図１５】従来技術の説明断面図である。
【図１６】従来技術の説明断面図である。
【図１７】サイジングボードのパネル材の説明図である。
【図１８】従来技術の説明断面図である。
【符号の説明】
１          外装部
１ａ        意匠面
２          柱部
３          基部
４          ヒレ
７          パネル材
Ａ          ガスケット本体
Ｂ，Ｃ      紐状体
Ｇ          住宅用ガスケット
Ｏ          内空間
Ｗ1         目地幅
【図１】
0003926477.tif 000002
【図２】
0003926477.tif 000003
【図３】
0003926477.tif 000004
【図４】
0003926477.tif 000005
【図５】
0003926477.tif 000006
【図６】
0003926477.tif 000007
【図７】
0003926477.tif 000008
【図８】
0003926477.tif 000009
【図９】
0003926477.tif 000010
【図１０】
0003926477.tif 000011
【図１１】
0003926477.tif 000012
【図１２】
0003926477.tif 000013
【図１３】
0003926477.tif 000014
【図１４】
0003926477.tif 000015
【図１５】
0003926477.tif 000016
【図１６】
0003926477.tif 000017
【図１７】
0003926477.tif 000018
【図１８】
0003926477.tif 000019